(57)【特許請求の範囲】
【請求項１】
肌当接側に位置する透液性表面シートと、肌非当接側に位置する不透液性裏面シートと、それらシートの間に介在する縦方向へ長い吸液性の第１コアとから構成され、前記縦方向に前胴周り域および後胴周り域と、それら胴周り域の間に位置する股下域とを備え、前記第１コアの両側縁の外側に前記縦方向へ延びる一対のサイドフラップを有する使い捨て着用物品において、
前記縦方向へ長い吸液性の第２コアが、前記第１コアの両側縁から横方向外方へ所与寸法離間して前記サイドフラップに配置され、前記股下域に延びる前記第１コアの両側縁が、前記物品の横方向内方へ向って実質的に弧を画き、前記第１コアの両側縁に対向して前記股下域に延びる前記第２コアの内側縁が、前記物品の前記横方向外方へ向って実質的に弧を画き、
前記股下域では、前記第２コアが前記第１コアの方向へ引き寄せられて該第１コアの両側縁近傍と該第２コアの内側縁近傍とが固着され、前記股下域における前記サイドフラップが前記第１コアの両側縁から下方へ向って傾斜していることを特徴とする前記着用物品。
【請求項２】
前記物品が、前記サイドフラップに位置して前記縦方向へ延びる実質的に不透液性の防漏カフを有し、前記カフが、前記股下域における前記サイドフラップの側縁部を前記縦方向へ延びる基側部と、前記基側部に連なって前記サイドフラップから上方へ起立性向を有する自由側部と、前記物品の前記横方向内方へ倒伏された状態で前記前後胴周り域における前記サイドフラップに固着された固定両端部とを有し、前記縦方向へ伸縮する弾性部材が、前記カフの自由側部に伸長状態で取り付けられている請求項１記載の着用物品。
【請求項３】
前記股下域における前記第１コアの横方向の最小寸法が、２０〜８０ｍｍの範囲にあり、前記股下域における前記第２コアの横方向の最大寸法が、２０〜７０ｍｍの範囲にある請求項１または請求項２に記載の着用物品。
【請求項４】
前記第２コアの剛性が、前記第１コアのそれよりも高い請求項１ないし請求項３いずれかに記載の着用物品。
【請求項５】
前記サイドフラップが、肌当接側に位置する透液性表面シートと、肌非当接側に位置する不透液性裏面シートとから形成され、前記第２コアが、それらシートの間に介在している請求項１ないし請求項４いずれかに記載の着用物品。
【発明の詳細な説明】
【０００１】
【発明の属する技術分野】
本発明は、排泄物を吸収、保持する使い捨て着用物品に関する。
【０００２】
【従来の技術】
肌当接側に位置する透液性表面シートと、肌非当接側に位置する不透液性裏面シートと、それらシートの間に介在する吸液性コアとから構成され、コアの両側縁の外側に縦方向へ延びる一対のサイドフラップを有する使い捨て着用物品は公知である。それら物品のうちオープン型としては、特開平１１−２９９８２４号公報と特開平１１−２９９８３２号公報とに開示され、それら物品のうちパンツ型としては、特開平１１−１０４１７７号公報と特開平１１−１５５９０４号公報とに開示されている。
【０００３】
それら着用物品は、縦方向に前胴周り域および後胴周り域と、それら胴周り域の間に位置する股下域とを備え、股下域に位置するコアの横方向の寸法が前後胴周り域に位置するコアのそれよりも小さく、コアの平面形状が実質的に砂時計型を呈する。
【０００４】
【発明が解決しようとする課題】
それら着用物品では、着用者の股間部の横方向の寸法よりも股下域におけるコアの横方向の寸法が大きいと、それを着用したときに着用者の股間部にコアが合致せず、着用時に違和感がある。股下域に位置するコアを着用者の股間部に合致させるためには、コアの前記寸法を着用者の股間部の前記寸法と同等またはそれ以下にすればよい。しかし、それら着用物品では、コアの前記寸法が小さくなるにしたがって、股下域におけるコアの排泄物の吸収能力が低下し、股下域から排泄物が漏れ易くなってしまう。
【０００５】
なお、市販の着用物品では、股下域からの排泄物の漏れを防止するため、股下域におけるコアの前記寸法を概ね１００〜２００ｍｍの範囲に設定しているが、コアの前記寸法が着用者の股間部の前記寸法よりも大きくなり、コアを着用者の股間部に合致させることができない。
【０００６】
本発明の課題は、股下域に位置するコアを着用者の股間部に合致させることができ、排泄物が股下域から漏れてしまうことがない使い捨て着用物品を提供することにある。
【０００７】
【課題を解決するための手段】
前記課題を解決するための本発明の前提は、肌当接側に位置する透液性表面シートと、肌非当接側に位置する不透液性裏面シートと、それらシートの間に介在する縦方向へ長い吸液性の第１コアとから構成され、前記縦方向に前胴周り域および後胴周り域と、それら胴周り域の間に位置する股下域とを備え、前記第１コアの両側縁の外側に前記縦方向へ延びる一対のサイドフラップを有する使い捨て着用物品である。
【０００８】
かかる前提において、本発明の特徴は、前記縦方向へ長い吸液性の第２コアが、前記第１コアの両側縁から横方向外方へ所与寸法離間して前記サイドフラップに配置され、前記股下域に延びる前記第１コアの両側縁が、前記物品の横方向内方へ向って実質的に弧を画き、前記第１コアの両側縁に対向して前記股下域に延びる前記第２コアの内側縁が、前記物品の前記横方向外方へ向って実質的に弧を画き、前記股下域では、前記第２コアが前記第１コアの方向へ引き寄せられて該第１コアの両側縁近傍と該第２コアの内側縁近傍とが固着され、前記股下域における前記サイドフラップが前記第１コアの両側縁から下方へ向って傾斜していることにある。
【０００９】
本発明の実施の態様の一例としては、前記物品が、前記サイドフラップに位置して前記縦方向へ延びる実質的に不透液性の防漏カフを有し、前記カフが、前記股下域における前記サイドフラップの側縁部を前記縦方向へ延びる基側部と、前記基側部に連なって前記サイドフラップから上方へ起立性向を有する自由側部と、前記物品の前記横方向内方へ倒伏された状態で前記前後胴周り域における前記サイドフラップに固着された固定両端部とを有し、前記縦方向へ伸縮する弾性部材が、前記カフの自由側部に伸長状態で取り付けられている。
【００１０】
本発明の実施の態様の他の一例としては、前記股下域における前記第１コアの横方向の最小寸法が、２０〜８０ｍｍの範囲にあり、前記股下域における前記第２コアの横方向の最大寸法が、２０〜７０ｍｍの範囲にある。
【００１１】
本発明の実施の態様の他の一例としては、前記第２コアの剛性が、前記第１コアのそれよりも高い。
【００１２】
本発明の実施の態様の他の一例としては、前記サイドフラップが、肌当接側に位置する透液性表面シートと、肌非当接側に位置する不透液性裏面シートとから形成され、前記第２コアが、それらシートの間に介在している。
【００１３】
【発明の実施の形態】
添付の図面を参照し、本発明にかかる使い捨て着用物品の詳細を説明すると、以下のとおりである。
【００１４】
図１，２は、着用物品１Ａの部分破断斜視図と、開口７の周縁部７ａを固着する以前の状態で示す物品１Ａの部分破断斜視図とであり、図３は、図１のＡ−Ａ線端面図である。図１では、縦方向を矢印Ｘで示し、横方向を矢印Ｙで示す。なお、表裏面シート２，３における内面とは、コア４，５に対向する面をいい、それらシート２，３の外面とは、コア４，５に非対向の面をいう。
【００１５】
物品１Ａは、肌当接側に位置する透液性表面シート２と、肌非当接側に位置する不透液性裏面シート３と、縦方向へ長い吸液性の第１および第２コア４，５とを主要な構成部材とする。物品１Ａは、それら構成部材の他に、実質的に不透液性の防漏カフ６を有する。
【００１６】
物品１Ａは、縦方向に前胴周り域２０および後胴周り域２２と、それら胴周り域２０，２２の間に位置する股下域２１とを備え、互いに並行して縦方向へ延びる一対のサイドフラップ１ａと、互いに並行して横方向へ延びるエンドフラップ１ｂとを有する。
【００１７】
第１コア４は、表面シート２と裏面シート３との間に介在し、それらシート２，３の少なくとも一方の内面に接合されている。第１コア４は、縦方向へ延びる両側縁４ａと、横方向へ延びる両端縁４ｂとを有する。第１コア４の両側縁４ａは、股下域２１において物品１Ａの横方向内方へ向って実質的に弧を画いている（図２参照）。
【００１８】
第２コア５は、第１コア４の両側縁４ａから横方向外方へ所与寸法離間して股下域２１におけるサイドフラップ１ａに配置されている。第２コア５は、サイドフラップ１ａにおける表面シート２と裏面シート３との間に介在し、それらシート２，３の少なくとも一方の内面に接合されている。第２コア５は、第１コア４の両側縁４ａに対向して縦方向へ延びる内側縁５ａと、内側縁５ａに並行して縦方向へ延びる外側縁５ｂとを有する。第２コア５の内側縁５ａと外側縁５ｂとは、物品１Ａの横方向外方へ向って実質的に弧を画いている（図２参照）。
【００１９】
サイドフラップ１ａは、第１コア４の両側縁４ａから横方向外方へ延びる表面シート２と裏面シート３とから形成されている。エンドフラップ１ｂは、第１コア４の両端縁４ｂから縦方向外方へ延びる表面シート２と裏面シート３とから形成されている。
【００２０】
サイドフラップ１ａには、ダーツを設けるための縦方向へ長い紡錘状の部位１ａ１が形成されている。部位１ａ１は、第１コア４の両側縁４ａと第２コア５の内側縁５ａとの間に位置し、第１コア４の両側縁４ａ近傍と第２コア５の内側縁５ａ近傍とにおいて切り取られている。サイドフラップ１ａには、図２に示すように、縦方向へ長い紡錘状の開口７が形成されている。開口７の周縁部７ａでは、表面シート２の内面と裏面シート３の内面とが固着されている。
【００２１】
サイドフラップ１ａの側縁部１ａ２では、第２コア５の外側縁５ｂから横方向外方へ表面シート２と裏面シート３とが延び、それらシート２，３の内面が固着されている。
【００２２】
物品１Ａでは、図２の状態から第２コア５を第１コア４の方向へ引き寄せて開口７を閉じ、開口７の周縁部７ａ（第１コア４の両側縁４ａ近傍と第２コア５の内側縁５ａ近傍と）を重ね合わせて固着し、図１の状態にすることができる。
【００２３】
部位１ａ１では、図３に示すように、裏面シート３どうしが合掌状に重なり合い、裏面シート３の外面が固着されている。部位１ａ１では、開口７の周縁部７ａ（第１コア４の両側縁４ａ近傍と第２コア５の内側縁５ａ近傍とに位置する表裏面シート２，３）が図の上方へ向って延びている。部位１ａ１における表裏面シート２，３の固着や裏面シート３どうしの固着には、ヒートシールやソニックシール等の熱による溶着手段を利用している。
【００２４】
防漏カフ６は、サイドフラップ１ａに位置して縦方向へ延びている。防漏カフ６は、サイドフラップ１ａの側縁部１ａ２から物品１Ａの横方向外方へ延びる裏面シート３が表面シート２の側へ折り返されていることによって形成されている。
【００２５】
防漏カフ６は、第２コア５の外側縁５ｂの外側に位置して股下域２１におけるサイドフラップ１ａの側縁部１ａ２を縦方向へ延びる基側部６ａと、基側部６ａに連なって縦方向へ延びる自由側部６ｂと、前後胴周り域２０，２２に位置して表面シート２の外面に重なる固定両端部６ｃとを有する。
【００２６】
固定両端部６ｃは、物品１Ａの横方向内方へ倒伏している。固定両端部６ｃでは、裏面シート３の内面が表面シート２の外面に固着されている。自由側部６ｂには、縦方向へ延びる伸縮性弾性部材８が伸長状態で固着されている。弾性部材８は、自由側部６ｂの一部に被覆されている。
【００２７】
図１では、物品１Ａが表面シート２を内側にして縦方向へ湾曲し、弾性部材８が収縮して防漏カフ６の自由側部６ｂがサイドフラップ１ａの側縁部１ａ２から上方へ起立している。物品１Ａの股下域２１では、サイドフラップ１ａが第１コア４の両側縁４ａから下方へ向って傾斜している。物品１Ａの着用時では、第１コア４が着用者の股間部に当接し、第２コア５が着用者の大腿部に当接する。
【００２８】
物品１Ａでは、サイドフラップ１ａと防漏カフ６の自由側部６ｂとが物品１Ａの上方へ向って開口するポケットＰを形成し、排泄物をポケットＰにおいて保持することができるので、サイドフラップ１ａの側縁部１ａ２からの排泄物の漏れを防止することができる。
【００２９】
第１コア４は、股下域２１における横方向の最小寸法Ｌ１が２０〜８０ｍｍの範囲にあることが好ましい。第２コア５は、股下域２１における横方向の最大寸法Ｌ２が２０〜７０ｍｍの範囲にあることが好ましい。
【００３０】
物品１Ａでは、第１コア４の寸法Ｌ１が上記範囲にあり、第１コア４の寸法Ｌ１が従来技術のそれよりも小さいので、物品１Ａを着用したときに、股下域２１における第１コア４が着用者の股間部に合致し、着用者の股間部において第１コア４が嵩張ることはない。物品１Ａでは、第１コア４の寸法Ｌ１を小さくしたとしても、第１コア４から漏出する排泄物を第２コア５が吸収するので、股下域２１からの排泄物の漏れを防止することができる。
【００３１】
第１コア４の寸法Ｌ１が２０ｍｍ未満では、股下域２１における第１コア４の排泄物の吸収能力が著しく低下し、股下域２１において第１コア４が排泄物をわずかしか吸収することができず、第１コア４を十分に利用することができない。第１コア４の寸法Ｌ１が８０ｍｍを超過する場合では、第１コア４の寸法Ｌ１が着用者の股間部の横方向の寸法よりも大きくなり、物品１Ａを着用したときに着用者の股間部に第１コア４が合致せず、第１コア４が嵩張って着用時に違和感がある。
【００３２】
第２コア５の寸法Ｌ２が２０ｍｍ未満では、第２コア５における排泄物の吸収能力が低下し、第１コア４から漏出した排泄物を吸収しきれず、股下域２１から排泄物が漏れてしまう場合がある。第２コア５の寸法Ｌ２が７０ｍｍを超過する場合では、第２コア５が着用者の大腿部に広範囲に当接し、着用者の脚部の動作の妨げとなってしまう。
【００３３】
物品１Ａでは、第２コア５の剛性が第１コア４のそれよりも高いことが好ましい。物品１Ａでは、第２コア５の剛性を高くすることによって、着用者の脚部の動きが直接伝わる第２コア５の破損を防止することができる。
【００３４】
図４，５は、図１の物品１Ａを使用したパンツ型の使い捨ておむつ３０の斜視図と、物品１Ａと締着部材９とを分離して示すおむつ３０の分解斜視図とであり、図６，７は、図４のＢ−Ｂ線端面図と、図４のＣ−Ｃ線断面図とである。図４では、胴周り方向を矢印Ｚで示す。
【００３５】
おむつ３０は、物品１Ａと環状の締着部材９とから構成されている。締着部材９は、物品１Ａの前胴周り域２０を固着する前部９ａと、物品１Ａの後胴周り域２２を固着する後部９ｃと、前後部９ａ，９ｃの間に延びる中間部９ｂとを有する。締着部材９は、後部９ｃの面積が前部９ａと中間部９ｂとのそれよりも大きい。
【００３６】
締着部材９の上縁部９ｄには、胴周り方向へ伸縮する胴周り用弾性部材１０が伸長状態で取り付けられている。締着部材９の下縁部９ｅには、胴周り方向へ伸縮する弾性部材１１が伸長状態で取り付けられている。弾性部材１１は、締着部材９の中間部９ｂと後部９ｃとの間に延びている。それら弾性部材１０，１１は、ホットメルト系接着剤（図示せず）を介して締着部材９に固着されている。
【００３７】
おむつ３０では、表面シート２を内側にして物品１Ａを縦方向へ湾曲させ、締着部材９の前後部９ａ，９ｂの内面に物品１Ａの前後胴周り域２０，２２における裏面シート３の外面を固着する。物品１Ａと締着部材９とは、ホットメルト系接着剤（図示せず）を介して固着されている。おむつ３０では、図４に示すように、物品１Ａと締着部材９とが一体となり、物品１Ａの股下域２１が締着部材９から垂下し、胴周り開口１２と一対の脚周り開口１３とが画成されている。
【００３８】
おむつ３０の着用時では、締着部材９が着用者の胴周りを締め付け、物品１Ａの第１コア４が着用者の股間部に、第２コア５が着用者の大腿部に当接する。おむつ３０では、図６に示すように、サイドフラップ１ａが股下域２１において第１コア４の両側縁４ａから下方へ向って傾斜し、サイドフラップ１ａと防漏カフ６の自由側部６ｂとが物品１Ａの上方へ向って開口するポケットＰを形成している。
【００３９】
図８は、オープン型の使い捨ておむつ３１に成形された物品１Ａの斜視図である。物品１Ａでは、後胴周り域２２におけるエンドフラップ１Ｂに横方向へ伸縮する帯状の胴周り用弾性部材１４が伸長状態で取り付けられている。胴周り用弾性部材１４は、エンドフラップ１Ｂにおける表面シート２と裏面シート３との間に介在し、それらシート２，３の内面にホットメルト系接着剤（図示せず）を介して固着されている。
【００４０】
後胴周り域２２のサイドフラップ１ａには、横方向外方へ延びる一対のテープファスナ１５が取り付けられている。テープファスナ１５の基端部は、表面シート２と裏面シート３との間に介在し、それらシート２，３の内面にホットメルト系接着剤（図示せず）を介して固着されている。テープファスナ１５の自由端部には、粘着剤１６が塗布されている。おむつ３１の非着用時では、テープファスナ１５の自由端部が表面シート２の外面の側に倒伏され、後胴周り域２２における防漏カフ６に固着されたプラスチックフィルム１７に、粘着剤１６を介して剥離可能に仮着される。前胴周り域２０における裏面シート３の外面には、プラスチックフィルムからなる矩形のターゲットテープ１８がホットメルト系接着剤（図示せず）を介して固着されている。ターゲットテープ１８は、テープファスナ１５に対する止着域となる。
【００４１】
物品１Ａでは、粘着剤１６を介してテープファスナ１５の自由端部をターゲットテープ１８に止着し、前後胴周り域２０，２２を連結する。前後胴周り域２０，２２が連結された物品１Ａには、胴周り開口（図示せず）と、一対の脚周り開口（図示せず）とが画成される。
【００４２】
図９，１０は、図１とは異なる態様の物品１Ｂの部分破断斜視図と、図９の物品１Ｂに成形する以前の状態で示す部分破断分解斜視図とである。図９では、縦方向を矢印Ｘで示し、横方向を矢印Ｙで示す。図９の物品１Ｂが図１のそれと異なる点は、以下のとおりである。
【００４３】
この物品１Ｂは、図１０に示すように、サイドフラップ１ａが第１コア４の両側縁４ａから分離している。サイドフラップ１ａは、肌当接側に位置する透液性表面シート２３と、肌非当接側に位置する不透液性裏面シート２４とから形成されている。第２コア５は、表面シート２３と裏面シート２４との間に介在し、それらシート２３，２４の少なくとも一方の内面に接合されている。
【００４４】
第１コア４を被覆する表面シート２と裏面シート３とでは、第１コア４の両側縁４ａから横方向外方へ延びる両側縁部２ａ，３ａが合掌状に重なり合い、両側縁部２ａ，３ａにおけるそれらシート２，３の内面どうしが固着されている。股下域２１では、第１コア４の両側縁４ａとそれらシート２，３の両側縁部２ａ，３ａとが物品１Ｂの横方向内方へ向かって実質的に弧を画いている。
【００４５】
第２コア５を被覆する表面シート２３と裏面シート２４とは、第２コア５の内側縁５ａから横方向内方へ延びる内側縁部２３ａ，２４ａが合掌状に重なり合い、内側縁部２３ａ，２４ａにおけるそれらシート２３，２４の内面どうしが固着されている。股下域２１では、第２コア５の内側縁５ａとそれらシート２３，２４の内側縁部２３ａ，２４ａとが物品１Ｂの横方向外方へ向かって実質的に弧を画いている。
【００４６】
物品１Ｂでは、第２コア５が第１コア４の方向へ引き寄せられ、シート２，３の両側縁部２ａ，３ａとシート２３，２４の内側縁部２３ａ，２４ａとが固着されている。両側縁部２ａ，３ａと内側縁部２３ａ，２４ａとでは、図示はしていないがそれら裏面シート３，２４どうしが合掌状に重なり合い、それら裏面シート３，２４の外面が固着されている。
【００４７】
物品１Ｂの股下域２１では、サイドフラップ１ａが第１コア４の両側縁４ａから下方へ向って傾斜している。物品１Ｂでは、サイドフラップ１ａと防漏カフ６の自由側部６ｂとが物品１Ａの上方へ向って開口するポケットＰを形成する。物品１Ｂの着用時では、第１コア４が着用者の股間部に当接し、第２コア５が着用者の大腿部に当接する。
【００４８】
この物品１Ｂは、図４のそれと同様に、締着部材９を介しておむつ３０に成形されたり、図８のそれと同様に、テープファスナ１５とターゲットテープ１８とが取り付けられてオープン型のおむつ３１に成形される。この物品１Ｂの他の構成については、図１のそれと同一であるので、その説明は省略する。
【００４９】
表面シート２，２３には、親水性繊維不織布、または、微細な多数の開孔を有するプラスチックフィルムを使用することができる。裏面シート３，２４には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ６には、疎水性繊維不織布を使用することができる。裏面シート３，２４や防漏カフ６には、高い耐水性を有するメルトブローン法による繊維不織布を、高い強度を有しかつ柔軟性に富んだスパンボンド法による繊維不織布で挟んだ複合不織布を使用することもできる。
【００５０】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を使用することができる。
【００５１】
締着部材９は、裏面シート３，２４と同様の素材、または、伸縮性シートから形成されていることが好ましい。伸縮性シートには、伸縮性かつ疎水性の繊維不織布、伸縮性かつ不透液性のプラスチックフィルム、伸縮性かつ疎水性の繊維不織布を重ね合わせた２層の不織布、それぞれ伸縮性を有する疎水性の繊維不織布と不透液性のプラスチックフィルムとをラミネートした複合シートのいずれかを使用することができる。
【００５２】
伸縮性の繊維不織布としては、メルトブローンやスパンボンドの各製法により製造されたものを使用することができる。伸縮性の不織布の構成繊維には、熱可塑性エラストマー樹脂を溶融、紡糸した伸縮性繊維を使用することができる。また、熱可塑性エラストマー樹脂繊維からなる疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を貼り合わせた複合不織布を使用することもできる。
【００５３】
第１および第２コア４，５は、フラッフパルプと高吸収性ポリマー粒子との混合物、または、フラッフパルプと高吸収性ポリマー粒子と熱可塑性合成樹脂繊維との混合物であり、所要の厚みに圧縮されている。それらコア４，５は、それらの型崩れやポリマー粒子の脱落を防止するためにその全体がティッシュペーパーに被覆されていることが好ましい。ポリマー粒子としては、デンプン系、セルロース系、合成ポリマー系のものを使用することができる。第２コア５の剛性を第１コア４のそれよりも高くする一例としては、第２コア５における熱可塑性合成樹脂繊維の割合を高くし、大きな圧をかけて第２コア５を圧縮すればよい。
【００５４】
表裏面シート２，２３，３，２４の固着や防漏カフ６の固着、第１および第２コア４，５の接合、弾性部材８の取り付けには、ホットメルト系接着剤による接着、または、ヒートシールやソニックシール等の熱による溶着手段を利用することができる。
【００５５】
【発明の効果】
本発明にかかる使い捨て着用物品によれば、上記構成を採用することにより、股下域における第１コアの横方向の最小寸法を従来技術のそれよりも小さくすることができる。この物品では、第１コアの前記寸法を小さくしたとしても、第１コアから漏出する排泄物を第２コアが吸収するので、股下域から排泄物が漏れてしまうことがない。この物品では、それを着用したときに、股下域における第１コアが着用者の股間部に合致し、着用者の股間部において第１コアが嵩張ることはなく、着用時の違和感がない。
【００５６】
また、サイドフラップに位置して縦方向へ延びる実質的に不透液性の防漏カフを有する物品では、それに取り付けられた弾性部材の収縮によって防漏カフの自由側部がサイドフラップの縁部から上方へ起立し、サイドフラップと防漏カフの自由側部とが物品の上方へ向って開口するポケットを形成する。この物品では、排泄物をポケットにおいて保持することができるので、サイドフラップの側縁部からの排泄物の漏れを防止することができる。
【図面の簡単な説明】
【図１】着用物品の部分破断斜視図。
【図２】開口の周縁部を固着する以前の状態で示す物品の部分破断斜視図。
【図３】図１のＡ−Ａ線端面図。
【図４】図１の物品を使用したパンツ型の使い捨ておむつの斜視図。
【図５】物品と締着部材とを分離して示すおむつの分解斜視図。
【図６】図４のＢ−Ｂ線端面図。
【図７】図４のＣ−Ｃ線断面図。
【図８】オープン型の使い捨ておむつに成形された物品の斜視図。
【図９】図１とは異なる態様の物品の部分破断斜視図。
【図１０】図９の物品に成形する以前の状態で示す部分破断分解斜視図。
【符号の説明】
１Ａ，１Ｂ    使い捨て着用物品
１ａ          サイドフラップ
１ａ２        側縁部
２            透液性表面シート
３            不透液性裏面シート
４            第１コア
４ａ          両側縁
５            第２コア
５ａ          内側縁
６            防漏カフ
６ａ          基側部
６ｂ          自由側部
６ｃ          固定両端部
８            弾性部材
２０            前胴周り域
２１            股下域
２２            後胴周り域
２３            透液性表面シート
２４            不液性裏面シート
Ｌ１            寸法
Ｌ２            寸法
【図１】
0003699360.tif 000002
【図２】
0003699360.tif 000003
【図３】
0003699360.tif 000004
【図４】
0003699360.tif 000005
【図５】
0003699360.tif 000006
【図６】
0003699360.tif 000007
【図７】
0003699360.tif 000008
【図８】
0003699360.tif 000009
【図９】
0003699360.tif 000010
【図１０】
0003699360.tif 000011